(57)【要約】      （修正有）【課題】装置が大型化することを抑制しつつ、ペン先の乾燥防止効果の高い描画装置及び描画方法を提供する。【解決手段】ペン３０の待機位置に、液状材料を描画対象面に塗布するペン３０の先端側を覆う蓋部５０を配置した描画装置であって、蓋部５０は、開口部７２を有し、開口部７２の縁をペン先端部３２の外周面に当接した状態でペン３０の先端側を収納する内蓋７０と、開口部６３を有し、内蓋７０の外側に配置され、内蓋７０に収納されているペン先端部３２を係合した状態でペン３０の先端側を収納する外蓋６０と、外蓋６０と内蓋７０との間に配置され、内蓋７０を外蓋６０の開口部６３側に付勢させる弾性体８０と、を備え、ペン３０及び外蓋６０は、互いに係合する係合凸部３４、係合凹部６１を有する。【選択図】図３
2017056002.tif 000002
【特許請求の範囲】
【請求項１】
ペンの待機位置に、液状材料を描画対象面に塗布するペンの先端側を覆う蓋部を配置した描画装置であって、
前記蓋部は、
開口部を有し、前記開口部の縁を前記ペンの先端側の外周面に当接した状態で前記ペンの先端側を収納する内蓋と、
開口部を有し、前記内蓋の外側に配置され、前記内蓋に収納されている前記ペンの先端側を係合した状態で前記ペンの先端側を収納する外蓋と、
前記外蓋と前記内蓋との間に配置され、前記内蓋を前記外蓋の開口部側に付勢させる弾性体と、を備え、
前記ペン及び前記外蓋は、互いに係合する係合構造を有することを特徴とする描画装置。
【請求項２】
前記内蓋の前記開口部の縁に前記ペンの先端側の外周面が当接した状態の前記ペンの後端側に位置するように配置され、ノック部をノックすると前記ペンの後端を押圧する押圧部を有するノック体を備え、
前記ノック体は、前記ノック部をノックすることで前記押圧部の停止位置が前記蓋部側の第１停止位置と前記第１停止位置よりも前記蓋部から離れた第２停止位置との間で切り替わり、
前記係合構造が、
前記外蓋の内周面に設けられる凹部又は凸部と、
前記外蓋の凹部又は凸部に係脱可能に係合するペンの先端側の外周面に設けられる凸部又は凹部とからなり、
前記押圧部の停止位置が前記第１停止位置から前記第２停止位置に変位するときに、前記押圧部は、一旦、前記第１停止位置よりも前記外蓋の底側に位置した後に前記第２停止位置に移動し、
前記押圧部が前記第２停止位置に移動するときに、圧縮状態から開放される前記弾性体の付勢力によって、前記係合構造の係合が解除されることを特徴とする請求項１に記載の描画装置。
【請求項３】
前記ペンの待機位置には複数の前記ペンの本数に合わせて複数の前記蓋部が配置されており、
前記ノック体の前記押圧部は、複数の前記ペンの後端を同時に押圧できる幅を有し、
前記ノック体をノックして、前記押圧部の停止位置が前記第１停止位置と前記第２停止位置との間で切り替わることで、複数の前記ペンが同時に係脱可能になることを特徴とする請求項２に記載の描画装置。
【請求項４】
前記係合構造が、前記ペンの先端側の外周面と前記外蓋の内周面との間に設けられる螺合構造であることを特徴とする請求項１に記載の描画装置。
【請求項５】
前記描画対象面に前記ペンにより描画を施す描画ヘッド部と、前記描画対象面に印刷により描画を施すインクジェット部と、を有する描画部を備え、
前記インクジェット部が前記描画対象面に印刷しているときに、前記ペンは前記ペンの待機位置において、前記内蓋の前記開口部の縁に前記ペンの先端側の外周面が当接した状態で配置されることを特徴とする請求項１乃至４のいずれか一項に記載の描画装置。
【請求項６】
開口部を有し、前記開口部の縁をペンの先端側の外周面に当接した状態で前記ペンの先端側を収納する内蓋と、開口部を有し、前記内蓋の外側に配置され、前記内蓋に収納されている前記ペンの先端側を係合した状態で前記ペンの先端側を収納する外蓋と、前記外蓋と前記内蓋との間に配置され、前記内蓋を前記外蓋の開口部側に付勢させる弾性体と、を備える蓋部を前記ペンの待機位置に配置した描画装置を用いた描画方法であって、
前記内蓋の前記開口部の縁を前記ペンの先端側の外周面に当接した状態よりも、前記ペン及び前記内蓋を前記弾性体の付勢に反して押圧力を加えることで、前記ペン及び前記外蓋のそれぞれが有する互いに係合する係合構造によって前記ペンと前記外蓋とが係合された状態にすることを特徴とする描画方法。
【発明の詳細な説明】
【技術分野】
【０００１】
本発明は、描画装置及び描画方法に関する。
【背景技術】
【０００２】
特許文献１には、指をロックするためのホルダーを備える指の爪にネイルデザインを描くネイルアート装置が開示されている。
このネイルアート装置では、インクジェットプリンタで爪にネイルデザインを印刷することが行われている。
【先行技術文献】
【特許文献】
【０００３】
【特許文献１】特開２０００−１９４８３８号公報
【発明の概要】
【発明が解決しようとする課題】
【０００４】
この種の装置にペンプロッタのようなものを用いるようにすれば、インクジェットインクとして採用することが難しい粒子の径が大きいラメが含有されたインクを用いた描画などが行えるようになるが、ペンプロッタに用いるペンに充填されるインクは、人体への安全性を考慮し、水溶性のインクを用いることが望ましく、不使用時にペン先を蓋で保護するようにしなければ、ペン先のインクが乾燥し、直ぐにペンが使用できなくなる恐れがある。
ところで、一般的なペンでは、概ね２ｋｇｆ程度の押し込み力でペンを蓋に押し込むようにすると、正しい嵌合状態となり、ペン先の乾燥を防ぐように蓋がペンに装着されるようになっている。
【０００５】
しかしながら、装置の大型化を回避するためには、ペンを動かす機構を実現するのに用いるモータに小型のものを用いる必要があることから、蓋に対してペンを強く押し込むような操作を行うことが難しい。
【０００６】
このようなことを考えると、図６に示すように、装置内にペン３０のペン先３３を収容できる蓋１００を設けるようにして、ペン３０を使用していない時には、図６（ａ）に示すように、蓋１００のところにペン３０をもっていき、そして、図６（ｂ）に示すように、その蓋１００にペン先３３が挿入されるようにペン３０を蓋１００上に置くだけのような構成とすることになる。
【０００７】
この場合、ペン先３３は蓋１００に覆われることにはなるものの、蓋１００に対してペン３０の自重でペン３０が載っているだけの状態のため、密閉度が低く、乾燥防止効果が低い。
【０００８】
したがって、本発明は、上記のような課題にかんがみてなされたものであり、装置が大型化することを抑制しつつ、ペン先の乾燥防止効果の高い描画装置及び描画方法を提供することを目的とする。
【課題を解決するための手段】
【０００９】
上記課題を解決するため、本発明の描画装置及び描画方法は、以下のような解決手段を提供する。
【００１０】
本発明の描画装置は、ペンの待機位置に、液状材料を描画対象面に塗布するペンの先端側を覆う蓋部を配置した描画装置であって、前記蓋部は、開口部を有し、前記開口部の縁を前記ペンの先端側の外周面に当接した状態で前記ペンの先端側を収納する内蓋と、開口部を有し、前記内蓋の外側に配置され、前記内蓋に収納されている前記ペンの先端側を係合した状態で前記ペンの先端側を収納する外蓋と、前記外蓋と前記内蓋との間に配置され、前記内蓋を前記外蓋の開口部側に付勢させる弾性体と、を備え、前記ペン及び前記外蓋は、互いに係合する係合構造を有する。
【００１１】
また、本発明の描画方法は、開口部を有し、前記開口部の縁をペンの先端側の外周面に当接した状態で前記ペンの先端側を収納する内蓋と、開口部を有し、前記内蓋の外側に配置され、前記内蓋に収納されている前記ペンの先端側を係合した状態で前記ペンの先端側を収納する外蓋と、前記外蓋と前記内蓋との間に配置され、前記内蓋を前記外蓋の開口部側に付勢させる弾性体と、を備える蓋部を前記ペンの待機位置に配置した描画装置を用いた描画方法であって、前記内蓋の前記開口部の縁を前記ペンの先端側の外周面に当接した状態よりも、前記ペン及び前記内蓋を前記弾性体の付勢に反して押圧力を加えることで、前記ペン及び前記外蓋のそれぞれが有する互いに係合する係合構造によって前記ペンと前記外蓋とが係合された状態にする。
【発明の効果】
【００１２】
本発明によれば、装置が大型化することを抑制しつつ、ペン先の乾燥防止効果の高い描画装置及び描画方法を提供することができる。
【図面の簡単な説明】
【００１３】
【図１】本発明に係る第１実施形態に係る描画装置の外観を概念的に示す図である。
【図２】本発明に係る第１実施形態に係るペンとノック体を示す図である。
【図３】本発明に係る第１実施形態のペンと蓋部が係脱可能に係合する構造を示した図である。
【図４】本発明に係る第１実施形態のノック体の変形例を示す図である。
【図５】本発明に係る第２実施形態のペンと蓋部が係脱可能に係合する構造を示した図である。
【図６】従来の装置にペンを用いる場合に想定される蓋の構成を示す図である。
【発明を実施するための形態】
【００１４】
以下、添付図面を参照して、本発明を実施するための形態（以下、実施形態）について詳細に説明する。以降の図においては、実施形態の説明の全体を通して同じ要素には同じ番号又は符号を付している。
【００１５】
また、以下の実施形態では、描画装置は手の指の爪を描画対象として、これに描画するものとして説明するが、本発明の描画対象は手の指の爪に限るものではなく、例えば足の指の爪を描画対象としてもよい。
【００１６】
（第１実施形態）
図１は本発明に係る第１実施形態の描画装置の外観を概念的に示す図である。
【００１７】
図１に示すように、描画装置１０は、例えば、人の指１２の爪１１のネイルデザインを形成する表面（描画対象面）にネイルデザインを施す装置である。
描画装置１０は、ケース本体２０と、ケース本体２０の上面（天板）に設けられる、操作部２１を兼ね備えたタッチパネル式の表示部２２を備える。
【００１８】
そして、ケース本体２０には、その前面に開口する指挿入部２３が設けられている。
また、ケース本体２０の内部には、インクジェット部２４及び描画ヘッド部２５（例えば、ペン３０を用いるペンプロッタ）からなる描画部２６と、爪１１に塗布された塗料（インク）を温風により乾燥させるドライヤー（乾燥機構）２７とが設けられている。
【００１９】
さらに、ケース本体２０の内部には、後ほど詳細に説明するが、ペン３０の非印字時の待機位置に、ペン３０の先端側を覆う蓋部５０と、その蓋部５０の上側に位置するように設けられ、ケース本体２０の上面（天面）から少なくともノック部４２がケース本体２０の外部に位置するように設けられたノック体４０が配置されている。
つまり、図１において、蓋部５０が設けられている位置がペン待機位置であり、そこに蓋部５０やノック体４０は設けられている。
【００２０】
なお、本実施形態では、ペン３０が１つの場合について示しているが、ペン３０の数は１つに限らず、複数でもよい。
このように、ペン３０を複数設ける場合には、それに対応するように、それぞれのペンの非印字時の待機位置に、蓋部５０が設けられるようにするとともに、それらの蓋部５０の上側に位置するようにノック体４０を配置するようにすればよい。
【００２１】
図示を省略しているが、ペン３０、インクジェット部２４、及びドライヤー２７は、各種の移動手段によって、図中に破線の矢印で示すように、前後方向や左右方向、また必要に応じて上下方向に移動可能になっている。
【００２２】
次に、ノック体４０、ペン３０、及び、蓋部５０について、順次説明する。
まず、ノック体４０、ペン３０、及び、蓋部５０の構成及びそれらの動作について簡単に説明した後に、これらの全体の動作について説明する。
【００２３】
（ノック体）
図２は、ペン３０及びノック体４０の一連の操作を示す図であるが、この図を参照しながら、まず、ノック体４０及びノック体４０の動作について説明する。
図２（ａ）に示すように、ノック体４０は、本体部４１と、ノック部４２と、押圧部４３と、を備えており、内部の構造については図示を省略しているが、ノック体４０は、いわゆるノック式ボールペン等でよく使用されている回転カム式繰り出し機構の構造になっている。
【００２４】
このため、ノック体４０は、一般によく見られるノック式ボールペンと同様の動作が行えるようになっている。
具体的に説明すると、図２（ａ）は、まだ、ノック体４０のノック部４２がノックされる前の状態を示しており、この状態からノック部４２がノックされると、ノック体４０の上端の位置が図２（ａ）に示すポジションＡの位置から図２（ｂ）に示すポジションＣの位置に移動する。
【００２５】
このとき、一般的なボールペンで見られるのと同様に、ノック体４０の押圧部４３側もノック部４２の動作と同様の動作を示し、具体的には、押圧部４３のペン３０の後端に対面する下端が、図２（ａ）に示すポジションＤの位置から図２（ｂ）に示すポジションＦの位置に移動する。
【００２６】
そして、ノック体４０のノック部４２のノックを止めると、ノック部４２の上端は、図２（ｂ）に示すポジションＣの位置から図２（ａ）に示すノック前の位置であるポジションＡまで戻るのではなく、図２（ｃ）に示すポジションＢの位置に移動し、この位置でノック部４２は停止する。
【００２７】
このときも、ノック体４０の押圧部４３側は、ノック部４２の動作と同様の動作を示し、具体的には、押圧部４３のペン３０の後端に対面する下端が、図２（ｂ）に示すポジションＦの位置から図２（ｃ）に示すポジションＥの位置に移動し、この位置で押圧部４３は停止する。
なお、以下では、この押圧部４３の停止位置であるポジションＥの位置を第１停止位置と呼ぶ場合がある。
【００２８】
この図２（ａ）〜（ｃ）までの動作を理解しやすいように、一般のボールペンの動きに例えて説明すると、ボールペンのノック部を一回ノックすると、ペン本体内に隠れていたペン先がペン本体から飛び出た位置で停止するときの動きと同様の動きである。
【００２９】
次に、再び、ノック体４０のノック部４２がノックされると、ノック体４０の上端の位置が図２（ｃ）に示すポジションＢの位置から図２（ｄ）に示すポジションＣの位置に移動する。
このときも、ノック体４０の押圧部４３側は、ノック部４２の動作と同様の動作を示し、具体的には、押圧部４３のペン３０の後端に対面する下端が、図２（ｃ）に示すポジションＥの位置（第１停止位置）から図２（ｄ）に示すポジションＦの位置に移動する。
【００３０】
そして、ノック体４０のノック部４２のノックを止めると、ノック部４２の上端は、図２（ｄ）に示すポジションＣの位置から図２（ｅ）に示すポジションＡの位置に移動し、この位置でノック部４２は停止する。
つまり、二回目のノックを行うと一回目のノックを行う前の状態（図２（ａ）参照）に戻る。
【００３１】
このときも、ノック体４０の押圧部４３側は、ノック部４２の動作と同様の動作を示し、具体的には、押圧部４３のペン３０の後端に対面する下端が、図２（ｄ）に示すポジションＦの位置から図２（ｅ）に示すポジションＤの位置に移動し、この位置で押圧部４３は停止する。
なお、以下では、この押圧部４３の停止位置であるポジションＤの位置を第２停止位置と呼ぶ場合がある。
【００３２】
この図２（ｃ）〜（ｅ）までの動作を理解しやすいように、一般のボールペンの動きに例えて説明すると、ペン先がペン本体から飛び出た位置で停止しているときに、ボールペンのノック部を一回ノックすると、ペン本体から飛び出た位置で停止しているペン先がペン本体内に収納される位置で停止するときの動きと同様の動きである。
【００３３】
なお、本実施形態のノック部４２は、ボールペンのようにペン先を収納するペンケースを備えていないため、押圧部４３が収納される態様でない点が異なるだけであり、基本的な動作はボールペンで見られるのと同様である。
【００３４】
そして、ノック体４０の二回目のノックの後、再び、ノック体４０をノック（三回目のノック）すると、この三回目のノックでは、一回目のノックのときと同じ動作が行われることになる。
したがって、ノック体４０のノックを行う度に、ノック体４０のペン３０の後端に対面する下端は、第１停止位置（ポジションＥ）と第２停止位置（ポジションＤ）との間で切り替わるようになっている。
【００３５】
（ペン）
図２（ａ）に示すように、ペン３０は、筒形状の本体部３１と、本体部３１の先端に設けられる先端側に向かって外径が小さくなるテーパ形状のペン先端部３２と、ペン先端部３２の先端から先端側に向けて突出するペン先３３と、を備える。本実施形態では、ペン３０の内部には、揮発性の高い水溶性のインクが充填されているが、インクの種類は、これに限らずゲル状のような液状材料からなるインクであってもよい。
【００３６】
そして、図２（ａ）に示すように、ペン３０の先端側の外周面の一部に、後ほど説明するが蓋部５０（図１参照）と係合するための、係合凸部３４が形成されている。
具体的には、係合凸部３４は、ペン先端部３２の本体部３１側に位置する外周面の一部に、周方向の全周に亘って外側に突出するように形成した凸リング形状のものとして形成されている。
【００３７】
詳細については後ほど説明するが、ペン３０は、蓋部５０（図１参照）上に載置されているときには、ノック体４０側に付勢されるようになっており、ノック体４０の押圧部４３による押圧がなく、また、ペン３０が蓋部５０と係合していないときには、ペン３０の後端が、図２（ａ）に示すポジションＤ’に位置するようになっている。
【００３８】
したがって、先ほど説明したノック体４０のノック動作（一回目のノック及び二回目のノック）において、ペン３０の後端がノック体４０の押圧部４３によって押圧されることで、ペン３０は、図２（ａ）〜（ｅ）のように動作することになる。
【００３９】
具体的には、ノック体４０のノック部４２をノック（一回目のノック）すると、図２（ａ）に示すように、ペン３０の後端から離間している押圧部４３がペン３０の後端に近づき、ノック部４２の上端がポジションＡ’まで移動すると、押圧部４３の下端がポジションＤ’まで移動し、押圧部４３の下端とペン３０の後端とが当接する。
さらに、ノック部４２の上端がポジションＣ（図２（ｂ）参照）まで移動すると、押圧部４３の下端もポジションＦ（図２（ｂ）参照）まで移動し、ペン３０の後端も押圧部４３の下端で押圧されるため、ノック体４０側への付勢力に抗してペン３０の後端がポジションＦに位置するようにペン３０が移動する。
【００４０】
そして、ノック体４０のノックを止めると、押圧部４３の下端が第１停止位置であるポジションＥに移動して停止する動き（図２（ｂ）から（ｃ）の動き）に追従するように、ノック体４０側に付勢されているペン３０も移動し、ペン３０の後端がポジションＥに位置するところでペン３０も停止する。
【００４１】
再び、ノック体４０のノック部４２をノック（二回目のノック）すると、図２（ｃ）及び（ｄ）に示すように、押圧部４３の下端が第１停止位置であるポジションＥからポジションＦに移動するのに伴って、ペン３０の後端がポジションＥからポジションＦに移動するようにペン３０が移動し、その後、ノックを止めると、図２（ｄ）及び図２（ｅ）に示すように、押圧部４３の下端がポジションＦから第２停止位置であるポジションＤに移動するのに伴って、ペン３０もポジションＤ側に移動し、ペン３０が位置することができる最もポジションＤ側の位置であるポジションＤ’にペン３０の後端が位置するところでペン３０が停止することになり（図２（ｅ）参照）、再び、図２（ａ）で示したのと同じ状態、つまり、ペン３０の後端と押圧部４３の下端とが離間した状態となる。
【００４２】
（蓋部）
図３は、ペン３０及び蓋部５０の一連の操作を示す図であるが、この図を参照しながら、まず、蓋部５０の構成について説明し、その後、先に説明したペン３０及びノック体４０の動作も含めたペン３０、ノック体４０及び蓋部５０の全体的な動作について説明する。
【００４３】
図３（ａ）に示すように、蓋部５０は、有底状の外蓋６０と、外蓋６０内に配置されるコイルバネからなる弾性体８０と、外蓋６０の開口部６３側に弾性体８０で付勢され、外蓋６０内に配置される開口部７２を有する有底状の内蓋７０と、を備える。
そして、外蓋６０には、外蓋６０の内周面に、先ほど説明したペン３０の係合凸部３４が係合するための、係合凹部６１が形成されている。
具体的には、係合凹部６１は、外蓋６０の開口部６３の内周面の一部に、周方向の全周に亘って外周面側に凹むように形成した凹リング形状のものとして形成されている。
【００４４】
なお、ペン３０に設けられる係合凸部３４と外蓋６０に設けられる係合凹部６１との関係は逆であってもよい。
つまり、外蓋６０の内周面に係合凸部を設け、その内周面に設けられた係合凸部が係合するようにペン３０の先端側の外周面の一部に係合凹部が設けられたものとしてもよい。
【００４５】
そして、この蓋部５０は、図１を参照して説明したように、描画を行っていないペン３０が待機する待機位置に配置されている。
以下では、主に、図３を参照しながら、ネイルデザインを終えて装置の動作が終了するときの状態について説明する。
【００４６】
図３（ａ）は、ネイルデザインの形成が終わり、図示しない移動手段によってペン３０が蓋部５０のところに移動させられてきた状態を示している。
そして、蓋部５０のところにペン３０が来ると図示しない移動手段は、ペン３０を図３（ｂ）に示すように、蓋部５０上に載せるようにする。
この図３（ｂ）に示す蓋部５０上にペン３０が載せられた状態のときが、図２（ａ）に示した状態になっている。
なお、図２（ａ）のペン３０の後端と押圧部４３の下端との間の離間距離（ポジションＤからポジションＤ’までの距離）は正確なスケールで描かれていないが、実際には、図３（ａ）及び図３（ｂ）に見られるペン３０の動作が可能な程度の離間距離とされている。
【００４７】
ここで、図３（ｂ）に示すように、外蓋６０の開口部６３側に弾性体８０で付勢されている内蓋７０は、蓋部５０にペン３０が載せられた状態で内蓋７０の開口縁部７１（図３（ａ）参照）が、ペン３０の先端側の外周面（ペン先端部３２の外周面）に当接可能なように外蓋６０内に配置されている。
【００４８】
このため、蓋部５０上にペン３０が載せられた状態でペン先３３は内蓋７０によって一応の密閉がなされ、乾燥が防止されるようになっているが、この状態では密閉度が高くないので長期間乾燥を防止することは出来ない。
なお、このように、蓋部５０上にペン３０が載せられた状態でもペン先３３が内蓋７０で一応の密閉ができるようにしているのは、例えば、インクジェット部２４（図１参照）でネイルデザインを印刷しているときに、ペン３０を一時的に蓋部５０上に載せるようにしておくことで、ネイルデザイン形成中のペン先３３の乾燥を防止できるようにするためである。
【００４９】
そして、ユーザーによって、図１に示すように、ケース本体２０の上面（天面）から外部に出ているノック体４０のノック部４２がノックされると、図２（ａ）〜（ｃ）を参照して説明したように、押圧部４３の下端が第１停止位置であるポジションＥに停止する（図２（ｃ）参照）のに伴って、ペン３０の係合凸部３４が外蓋６０の係合凹部６１に係合した状態で停止することになる。
【００５０】
ここで、蓋部５０上にペン３０が載せられただけの状態である図３（ｂ）と、図３（ｃ）に示すペン３０の係合凸部３４が外蓋６０の係合凹部６１を係合させることで構成したペン３０を停止させる係合構造でペン３０が停止している状態と、を見比べると分かるように、係合構造でペン３０が停止しているときには、ペン３０がより外蓋６０の底面側に位置するようになり、弾性体８０が圧縮された状態になっていることが分かる。
【００５１】
このため、係合構造でペン３０が停止しているときには、強く内蓋７０がペン３０の先端側の外周面（ペン先端部３２の外周面）に押し付けられるようになるため密閉度が高くなるので、長期間に亘ってペン先３３の乾燥を防止することが可能となる。
このように、ペン３０が係合構造で停止した状態として描画を終了するようにすることで、描画装置１０を使用していない間にペン３０のペン先３３が乾燥することが抑制される。
【００５２】
なお、本実施形態では、ノック体４０の押圧部４３も係合構造として寄与できるのでペン３０の係合凸部３４と外蓋６０の係合凹部６１とを省略し、ノック体４０自体を係合構造としてもよい。
しかしながら、ペン３０の係合凸部３４と外蓋６０の係合凹部６１を設けるようにすることで、ノック体４０の動作機構の関係でガタつきなどがある場合でも安定してペン３０を停止させることができるようになる。
【００５３】
そして、再び、描画装置１０を使用する時には、ノック体４０のノック部４２をノックし、上記で二回目のノックとして説明した動作を行う。
具体的には、図２（ｃ）の状態になっているノック体４０のノック部４２をノックするようにする。
【００５４】
そうすると、図２（ｄ）に示すように、一旦、押圧部４３の下端は、図２（ｃ）の第１停止位置（ポジションＥ）よりもペン３０のペン先３３側であるポジションＦに位置するようになる。
【００５５】
この動きを、ペン先３３と蓋部５０との間で見ると、図３（ｃ）から（ｄ）への動きになっている。
つまり、上記動きは、別の表現をすれば、押圧部４３が、一旦、第１停止位置（図２（ｃ）のポジションＥ）よりも外蓋６０の底面側（底側）に位置する動きになっており、この動きによって、図３（ｄ）に示すように、弾性体８０が強く圧縮されることになる。
【００５６】
そして、ノック体４０のノックを止めると、図２（ｄ）から（ｅ）に示すように、押圧部４３の下端がペン３０の後端から離間する第２停止位置（ポジションＤ）に移動し、このとき圧縮状態から開放され、弾性体８０も勢いよく伸びることになる（図３（ｄ）から（ｅ））。
この弾性体８０の付勢力によって、ペン３０の係合凸部３４と外蓋６０の係合凹部６１とで構成されている係合構造の係合状態が解除され、再び、蓋部５０上にペン３０が載せられているだけの状態に戻り、図示しない移動手段によってペン３０が移動できるようになる。
【００５７】
第１実施形態によれば、描画装置１０の描画操作前後にユーザーによってノック体４０のノック部４２がノックされる例を説明したが、上記の実施形態に限定されない。即ち、装置の大型化を回避する必要が無いような環境、或いは装置の大型化に影響しない程度の小型のモータを用いて構成することが可能であれば、装置内に設けられたモータを用いてノック体４０のノック部４２がノックされるものであっても良い。
【００５８】
（ノック体の変形例）
上記では、主にペン３０が１つである場合について説明してきたが、先に触れたように描画装置１０に設けられるペン３０の本数は特に制限されるものではない。
そして、ペン３０の本数に合わせて、その本数分の蓋部５０を設けるとともに、ノック体４０を設けるようにしてもよいが、図４に示すようなノック体４０の構成とすれば、ノック体４０自体の数を増やすことなく、ペン３０の本数増加に対応することが可能である。
【００５９】
具体的には、図４に示すように、変形例のノック体４０’は、ノック体４０の押圧部４３の構成を、複数のペン３０の後端を同時に押圧できる幅に広げるようにした押圧部４３’とした点が異なり、それ以外は、ノック体４０と同様である。
このようにすれば、ノック体４０の押圧部４３の形状を変えるだけで複数のペン３０に対応するノック体４０’を実現することが可能である。
【００６０】
（第２実施形態）
次に、本発明に係る第２実施形態について説明する。
第２実施形態の基本的な構成は、第１実施形態と同様であるので、以下では、第１実施形態と同様である部分についての説明は割愛し、主に異なる点についてだけ説明を行う。
【００６１】
図５は、図３に対応する図であり、第２実施形態のペン３０の先端側と蓋部５０とを示した図になっている。
第２実施形態のペン３０の先端側の外周面（ペン先端部３２の外周面）には、先ほどの係合凸部３４に代えて雄ネジ構造となる螺合溝３５が形成されている。
【００６２】
一方、第２実施形態の外蓋６０の開口部６３側の内周面には、先ほどの係合凹部６１に代えて雌ネジ構造となる螺合溝６２が形成されている。
つまり、第２実施形態では、係合構造がペン３０の先端側の外周面と外蓋６０の内周面との間に設けられた螺合構造で構成されるようになっている。
【００６３】
このため、図５（ａ）に示すように、ペン３０を蓋部５０上に図示しない移動手段で移動させた後、蓋部５０上にペン３０を載せるようにして（図５（ｂ）参照）、続いて、図示しない移動手段に設けられる回転機構によってペン３０を回転させるようにすると螺合構造に沿ってペン３０が移動する（図５（ｃ）参照）。
【００６４】
そうすると、蓋部５０にペン３０が載せられた状態よりもペン３０を外蓋６０の底面側に位置させた状態となり、弾性体８０が圧縮されることになるので、強い付勢力で内蓋７０がペン３０の先端側の外周面（ペン先端部３２の外周面）に押付けられるようになるため密閉度が高くなる。
このため、第１実施形態と同様に、長期間に亘ってペン先３３の乾燥を防止することが可能となる。
【００６５】
一方、ペン３０を使用する時には、先ほどとは逆方向にペン３０を図示しない移動手段に設けられる回転機構によって回転させることで、図５（ｄ）のように、螺合構造に沿ってペン３０が移動し、蓋部５０にペン３０が載せられただけの状態（図５（ｂ）参照）と同じ状態に戻り、再び、ペン３０を用いた動作が行えるようになる。
【００６６】
この第２実施形態の場合には、第１実施形態のノック体４０が不要であり、モータにとって付加の小さい動作である回転動作によって係合構造の係脱が行える。
したがって、小型のモータを用いて構成することが可能なため、装置の大型化を回避することができるとともに、係合構造の係脱を人手に依らず、装置自体が自動で行うものとして実現することが可能である。
【００６７】
以上、具体的な実施形態に基づいて本発明を説明したが、本発明の技術的範囲は上記実施形態に限定されないことは言うまでもない。
具体的な上記実施形態に、多様な変更又は改良を加えることが可能であることは当業者にとって明らかであり、その様な変更又は改良を加えた形態も本発明の技術的範囲に含まれるものであることは、特許請求の範囲の記載から明らかである。
【００６８】
以下に、この出願の願書に最初に添付した特許請求の範囲に記載した発明を付記する。付記に記載した請求項の項番は、この出願の願書に最初に添付した特許請求の範囲の通りである。
【００６９】
［付記］
［請求項１］
ペンの待機位置に、液状材料を描画対象面に塗布するペンの先端側を覆う蓋部を配置した描画装置であって、
前記蓋部は、
開口部を有し、前記開口部の縁を前記ペンの先端側の外周面に当接した状態で前記ペンの先端側を収納する内蓋と、
開口部を有し、前記内蓋の外側に配置され、前記内蓋に収納されている前記ペンの先端側を係合した状態で前記ペンの先端側を収納する外蓋と、
前記外蓋と前記内蓋との間に配置され、前記内蓋を前記外蓋の開口部側に付勢させる弾性体と、を備え、
前記ペン及び前記外蓋は、互いに係合する係合構造を有することを特徴とする描画装置。
［請求項２］
前記内蓋の前記開口部の縁に前記ペンの先端側の外周面が当接した状態の前記ペンの後端側に位置するように配置され、ノック部をノックすると前記ペンの後端を押圧する押圧部を有するノック体を備え、
前記ノック体は、前記ノック部をノックすることで前記押圧部の停止位置が前記蓋部側の第１停止位置と前記第１停止位置よりも前記蓋部から離れた第２停止位置との間で切り替わり、
前記係合構造が、
前記外蓋の内周面に設けられる凹部又は凸部と、
前記外蓋の凹部又は凸部に係脱可能に係合するペンの先端側の外周面に設けられる凸部又は凹部とからなり、
前記押圧部の停止位置が前記第１停止位置から前記第２停止位置に変位するときに、前記押圧部は、一旦、前記第１停止位置よりも前記外蓋の底側に位置した後に前記第２停止位置に移動し、
前記押圧部が前記第２停止位置に移動するときに、圧縮状態から開放される前記弾性体の付勢力によって、前記係合構造の係合が解除されることを特徴とする請求項１に記載の描画装置。
［請求項３］
前記ペンの待機位置には複数の前記ペンの本数に合わせて複数の前記蓋部が配置されており、
前記ノック体の前記押圧部は、複数の前記ペンの後端を同時に押圧できる幅を有し、
前記ノック体をノックして、前記押圧部の停止位置が前記第１停止位置と前記第２停止位置との間で切り替わることで、複数の前記ペンが同時に係脱可能になることを特徴とする請求項２に記載の描画装置。
［請求項４］
前記係合構造が、前記ペンの先端側の外周面と前記外蓋の内周面との間に設けられる螺合構造であることを特徴とする請求項１に記載の描画装置。
［請求項５］
前記描画対象面に前記ペンにより描画を施す描画ヘッド部と、前記描画対象面に印刷により描画を施すインクジェット部と、を有する描画部を備え、
前記インクジェット部が前記描画対象面に印刷しているときに、前記ペンは前記ペンの待機位置において、前記内蓋の前記開口部の縁に前記ペンの先端側の外周面が当接した状態で配置されることを特徴とする請求項１乃至４のいずれか一項に記載の描画装置。
［請求項６］
開口部を有し、前記開口部の縁をペンの先端側の外周面に当接した状態で前記ペンの先端側を収納する内蓋と、開口部を有し、前記内蓋の外側に配置され、前記内蓋に収納されている前記ペンの先端側を係合した状態で前記ペンの先端側を収納する外蓋と、前記外蓋と前記内蓋との間に配置され、前記内蓋を前記外蓋の開口部側に付勢させる弾性体と、を備える蓋部を前記ペンの待機位置に配置した描画装置を用いた描画方法であって、
前記内蓋の前記開口部の縁を前記ペンの先端側の外周面に当接した状態よりも、前記ペン及び前記内蓋を前記弾性体の付勢に反して押圧力を加えることで、前記ペン及び前記外蓋のそれぞれが有する互いに係合する係合構造によって前記ペンと前記外蓋とが係合された状態にすることを特徴とする描画方法。
【符号の説明】
【００７０】
１０            描画装置
１１            爪
１２            指
２０            ケース本体
２１            操作部
２２            表示部
２３            指挿入部
２４            インクジェット部
２５            描画ヘッド部（ペンプロッタ）
２６            描画部
２７            ドライヤー
３１            本体部
３２            ペン先端部
３３            ペン先
３４            係合凸部
３５            螺合溝
４０、４０’    ノック体
４１            本体部
４２            ノック部
４３、４３’    押圧部
５０            蓋部
６０            外蓋
６１            係合凹部
６２            螺合溝
６３            開口部
７０            内蓋
７１            開口縁部
７２            開口部
８０            弾性体
１００          蓋
【図１】
2017056002.tif 000003
【図２】
2017056002.tif 000004
【図３】
2017056002.tif 000005
【図４】
2017056002.tif 000006
【図５】
2017056002.tif 000007
【図６】
2017056002.tif 000008